(57)【要約】【課題】排気による外気導入の悪影響がなく、除湿効率を向上できる除湿装置を提供する。【解決手段】デシカントロータ１と、室内からの空気をデシカントロータ１の除湿領域１aを介して室内に戻すための除湿通路１１と、除湿通路１１に空気を流す除湿ファン２と、デシカントロータ１の再生領域１bに空気を通過させるための再生通路１２と、再生通路１２に空気を流す再生ファン３と、再生通路１２のデシカントロータ１の再生領域１bの上流側に配置されたヒータ４とを備える。第１切換ダンパ５により再生通路１２の上流側を室外にするかまたは室内にするかを切り換えると共に、第２切換ダンパ６により再生通路１２の下流側を室外にするかまたは室内にするかを切り換える。室内の絶対湿度と室外の絶対湿度に基づいて、制御部１０は、除湿ファン２,再生ファン３,ヒータ４,第１切換ダンパ５および第２切換ダンパ６を制御する。【選択図】図１
2005138021.tif 000002
【特許請求の範囲】
【請求項１】
デシカントロータ(１)と、
室内からの空気を上記デシカントロータ(１)の除湿領域を介して室内に戻すための除湿通路(１１)と、
上記除湿通路(１１)に空気を流す除湿ファン(２)と、
上記デシカントロータ(１)の再生領域に空気を通過させるための再生通路(１２)と、
上記再生通路(１２)に空気を流す再生ファン(３)と、
上記再生通路(１２)内の上記デシカントロータ(１)の再生領域の上流側に配置されたヒータ(４)と、
上記再生通路(１２)の上流側を室外にするかまたは室内にするかを切り換える第１切換ダンパ(５)と、
上記再生通路(１２)の下流側を室外にするかまたは室内にするかを切り換える第２切換ダンパ(６)とを備えたことを特徴とする除湿装置。
【請求項２】
請求項１に記載の除湿装置において、
室内の絶対湿度を検出する室内絶対湿度検出手段と、
室外の絶対湿度を検出する室外絶対湿度検出手段と、
上記室内絶対湿度検出手段により検出された上記室内の絶対湿度および上記室外絶対湿度検出手段により検出された上記室外の絶対湿度に基づいて、上記除湿ファン(２)と上記再生ファン(３)と上記ヒータ(４)と上記第１切換ダンパ(５)または上記第２切換ダンパ(６)を制御する制御部(１０)を備えたことを特徴とする除湿装置。
【請求項３】
請求項２に記載の除湿装置において、
上記制御部(１０)は、
上記室内絶対湿度検出手段により検出された上記室内の絶対湿度が上記室外絶対湿度検出手段により検出された上記室外の絶対湿度よりも低いとき、上記再生通路(１２)の上流側が室外になるように上記第１切換ダンパ(５)を切り換えると共に、上記再生通路(１２)の下流側が室外になるように上記第２切換ダンパ(６)を切り換えて、上記除湿ファン(２)と上記再生ファン(３)を運転して上記ヒータ(４)をオンする一方、
上記室内絶対湿度検出手段により検出された上記室内の絶対湿度が上記室外絶対湿度検出手段により検出された上記室外の絶対湿度よりも高いとき、上記再生通路(１２)の上流側が室内になるように上記第１切換ダンパ(５)を切り換えると共に、上記再生通路(１２)の下流側が室外になるように上記第２切換ダンパ(６)を切り換えて、上記除湿ファン(２)と上記再生ファン(３)を運転して上記ヒータ(４)をオンすることを特徴とする除湿装置。
【請求項４】
請求項２に記載の除湿装置において、
上記制御部(１０)は、
上記室内絶対湿度検出手段により検出された上記室内の絶対湿度が上記室外絶対湿度検出手段により検出された上記室外の絶対湿度よりも低いとき、上記再生通路(１２)の上流側が室外になるように上記第１切換ダンパ(５)を切り換えると共に、上記再生通路(１２)の下流側が室外になるように上記第２切換ダンパ(６)を切り換えて、上記除湿ファン(２)と上記再生ファン(３)を運転して上記ヒータ(４)をオンする一方、
上記室内絶対湿度検出手段により検出された上記室内の絶対湿度が上記室外絶対湿度検出手段により検出された上記室外の絶対湿度よりも高いとき、上記再生通路(１２)の上流側が室外になるように上記第１切換ダンパ(５)を切り換えると共に、上記再生通路(１２)の下流側が室内になるように上記第２切換ダンパ(６)を切り換えて、上記除湿ファン(２)および上記ヒータ(４)を停止し、上記再生ファン(３)を運転することを特徴とする除湿装置。
【請求項５】
請求項２に記載の除湿装置において、
室内の相対湿度を検出する室内相対湿度検出手段(１４)を備え、
上記制御部(１０)は、
上記室内絶対湿度検出手段により検出された上記室内の絶対湿度が上記室外絶対湿度検出手段により検出された上記室外の絶対湿度よりも低いとき、上記再生通路(１２)の上流側が室外になるように上記第１切換ダンパ(５)を切り換えると共に、上記再生通路(１２)の下流側が室外になるように上記第２切換ダンパ(６)を切り換えて、上記除湿ファン(２)と上記再生ファン(３)を運転して上記ヒータ(４)をオンし、
上記室内絶対湿度検出手段により検出された上記室内の絶対湿度が上記室外絶対湿度検出手段により検出された上記室外の絶対湿度よりも高く、かつ、上記室内相対湿度検出手段(１４)により検出された室内相対湿度が所定湿度よりも高いとき、上記再生通路(１２)の上流側が室内になるように上記第１切換ダンパ(５)を切り換えると共に、上記再生通路(１２)の下流側が室外になるように上記第２切換ダンパ(６)を切り換えて、上記除湿ファン(２)と上記再生ファン(３)を運転して上記ヒータをオンし、
上記室内絶対湿度検出手段により検出された上記室内の絶対湿度が上記室外絶対湿度検出手段により検出された上記室外の絶対湿度よりも高く、かつ、上記室内相対湿度検出手段(１４)により検出された室内相対湿度が上記所定湿度よりも低いとき、上記制御部(１０)は、上記再生通路(１２)の上流側が室外になるように上記第１切換ダンパ(５)を切り換えると共に、上記再生通路(１２)の下流側が室内になるように上記第２切換ダンパ(６)を切り換えて、上記除湿ファン(２)および上記ヒータ(４)を停止し、上記再生ファン(３)を運転することを特徴とする除湿装置。
【発明の詳細な説明】
【技術分野】
【０００１】
この発明は、除湿装置に関する。
【背景技術】
【０００２】
従来、除湿装置としては、ケーシング内に配置された円板形状の除湿ロータを備え、除湿ロータの吸着領域に水分を吸着し、除湿ロータの再生領域から排気ダクトを介して室外に排出するものがある(例えば、特開２００２−１９１９２６号公報(特許文献１)参照)。
【０００３】
ところで、上記除湿装置では、設置される住宅の部屋の状況を考えると、排気された空気とほぼ同じ室外空気が室内に侵入してくるので、室内より室外の方が高湿度のときは、水分を室内に持ち込むことにより、より多くの除湿を行わなければならず、効率が悪いという問題がある。
【特許文献１】特開２００２−１９１９２６号公報
【発明の開示】
【発明が解決しようとする課題】
【０００４】
そこで、この発明の目的は、排気による外気導入の悪影響がなく、除湿効率を向上できる除湿装置を提供することにある。
【課題を解決するための手段】
【０００５】
上記目的を達成するため、この発明の除湿装置は、デシカントロータと、室内からの空気を上記デシカントロータの除湿領域を介して室内に戻すための除湿通路と、上記除湿通路に空気を流す除湿ファンと、上記デシカントロータの再生領域に空気を通過させるための再生通路と、上記再生通路に空気を流す再生ファンと、上記再生通路内の上記デシカントロータの再生領域の上流側に配置されたヒータと、上記再生通路の上流側を室外にするかまたは室内にするかを切り換える第１切換ダンパと、上記再生通路の下流側を室外にするかまたは室内にするかを切り換える第２切換ダンパとを備えたことを特徴とする。
【０００６】
上記構成の除湿装置によれば、上記除湿通路に除湿ファンにより室内空気を流し、デシカントロータの除湿領域を介して室内に戻して、室内空気の水分を除湿領域に吸着する。一方、例えば、第１切換ダンパにより再生通路の上流側を室外に切り換え、第２切換ダンパにより再生通路の下流側を室外に切り換えて、再生ファンにより再生通路に室外空気を流し、ヒータで加熱された後にデシカントロータの再生領域を通して水分が放出された空気を室外に排気する。そうすることによって、室内の空気を除湿しつつ、デシカントロータの再生を室外から導入された外気を用いて行い、なおかつ、再生によりデシカントロータから放出された水分を室外に排気することが可能となる。したがって、排気による外気導入の悪影響がなく、除湿効率を向上できる。
【０００７】
または、上記第１切換ダンパにより再生通路の上流側を室内に切り換え、第２切換ダンパにより再生通路の下流側を室外に切り換えて、再生ファンにより再生通路に室内空気を流し、ヒータで加熱された後にデシカントロータの再生領域を通して水分が放出された空気を室外に排気する。これにより、デシカントロータの再生を室内空気を利用して行い、再生によりデシカントロータから放出された水分を室外に排気することが可能となり、室外の絶対湿度が室内の絶対湿度よりも低いときに排気による外気導入があっても、除湿効率を低下させることなく換気もできる。
【０００８】
または、上記第１切換ダンパにより再生通路の上流側を室外に切り換え、第２切換ダンパにより再生通路の下流側を室内に切り換えて、再生通路に再生ファンにより室外空気を流し、デシカントロータの再生領域を介して空気を室内に給気する。これにより、室外空気を室内に給気して換気することが可能となる。
【０００９】
また、一実施形態の除湿装置は、室内の絶対湿度を検出する室内絶対湿度検出手段と、室外の絶対湿度を検出する室外絶対湿度検出手段と、上記室内絶対湿度検出手段により検出された上記室内の絶対湿度および上記室外絶対湿度検出手段により検出された上記室外の絶対湿度に基づいて、上記除湿ファンと上記再生ファンと上記ヒータと上記第１切換ダンパまたは上記第２切換ダンパを制御する制御部を備えたことを特徴とする。
【００１０】
上記実施形態の除湿装置によれば、上記制御部は、室内絶対湿度検出手段により検出された室内の絶対湿度および室外絶対湿度検出手段により検出された室外の絶対湿度に基づいて、除湿ファンと再生ファンと第１切換ダンパまたは第２切換ダンパの少なくとも１つを制御する。そうすることによって、例えば、室内の絶対湿度が室外の絶対湿度よりも低いときには、デシカントロータの再生に外気を利用したり、室内の絶対湿度が室外の絶対湿度よりも高いときには、デシカントロータの再生に室内空気を利用して室外に排出したりすることが可能となる。
【００１１】
また、一実施形態の除湿装置は、上記制御部は、上記室内絶対湿度検出手段により検出された上記室内の絶対湿度が上記室外絶対湿度検出手段により検出された上記室外の絶対湿度よりも低いとき、上記再生通路の上流側が室外になるように上記第１切換ダンパを切り換えると共に、上記再生通路の下流側が室外になるように上記第２切換ダンパを切り換えて、上記除湿ファンと上記再生ファンを運転して上記ヒータをオンする一方、上記室内絶対湿度検出手段により検出された上記室内の絶対湿度が上記室外絶対湿度検出手段により検出された上記室外の絶対湿度よりも高いとき、上記再生通路の上流側が室内になるように上記第１切換ダンパを切り換えると共に、上記再生通路の下流側が室外になるように上記第２切換ダンパを切り換えて、上記除湿ファンと上記再生ファンを運転して上記ヒータをオンすることを特徴とする。
【００１２】
上記実施形態の除湿装置によれば、室内の絶対湿度が室外の絶対湿度よりも低いとき、上記制御部により、再生通路の上流側が室外になるように第１切換ダンパを切り換え、再生通路の下流側が室外になるように第２切換ダンパを切り換えて、除湿ファンと再生ファンを運転してヒータをオンする。そうすることにより、室内の空気を除湿しつつ、デシカントロータの再生を室外から導入された外気を用いて行い、再生によりデシカントロータから放出された水分を室外に排気する。
【００１３】
また、室内の絶対湿度が室外の絶対湿度よりも高いとき、上記制御部により、再生通路の上流側が室内になるように第１切換ダンパを切り換え、再生通路の下流側が室外になるように第２切換ダンパを切り換えて、除湿ファンと再生ファンを運転してヒータをオンする。そうすることにより、室内の空気を除湿しつつ、デシカントロータの再生を湿度の高い室内空気を用いて行い、再生によりデシカントロータから放出された水分を室外に排気する。
【００１４】
また、一実施形態の除湿装置は、上記制御部は、上記室内絶対湿度検出手段により検出された上記室内の絶対湿度が上記室外絶対湿度検出手段により検出された上記室外の絶対湿度よりも低いとき、上記再生通路の上流側が室外になるように上記第１切換ダンパを切り換えると共に、上記再生通路の下流側が室外になるように上記第２切換ダンパを切り換えて、上記除湿ファンと上記再生ファンを運転して上記ヒータをオンする一方、上記室内絶対湿度検出手段により検出された上記室内の絶対湿度が上記室外絶対湿度検出手段により検出された上記室外の絶対湿度よりも高いとき、上記再生通路の上流側が室外になるように上記第１切換ダンパを切り換えると共に、上記再生通路の下流側が室内になるように上記第２切換ダンパを切り換えて、上記除湿ファンおよび上記ヒータを停止し、上記再生ファンを運転することを特徴とする。
【００１５】
上記実施形態の除湿装置によれば、室内の絶対湿度が室外の絶対湿度よりも低いとき、上記制御部により、再生通路の上流側が室外になるように第１切換ダンパを切り換え、再生通路の下流側が室外になるように第２切換ダンパを切り換えて、除湿ファンと再生ファンを運転してヒータをオンする。そうすることにより、室内の空気を除湿しつつ、デシカントロータの再生を室外から導入された外気を用いて行い、再生によりデシカントロータから放出された水分を室外に排気する。
【００１６】
また、室内の絶対湿度が室外の絶対湿度よりも高いとき、上記制御部により、再生通路の上流側が室外になるように第１切換ダンパを切り換え、再生通路の下流側が室内になるように第２切換ダンパを切り換えて、除湿ファンおよびヒータを停止し、再生ファンを運転する。そうすることにより、除湿運転を行わないで、室外の湿度の低い空気を室内に給気して、除湿も兼ねた効果的な換気が行える。
【００１７】
また、一実施形態の除湿装置は、室内の相対湿度を検出する室内相対湿度検出手段を備え、上記制御部は、上記室内絶対湿度検出手段により検出された上記室内の絶対湿度が上記室外絶対湿度検出手段により検出された上記室外の絶対湿度よりも低いとき、上記再生通路の上流側が室外になるように上記第１切換ダンパを切り換えると共に、上記再生通路の下流側が室外になるように上記第２切換ダンパを切り換えて、上記除湿ファンと上記再生ファンを運転して上記ヒータをオンし、上記室内絶対湿度検出手段により検出された上記室内の絶対湿度が上記室外絶対湿度検出手段により検出された上記室外の絶対湿度よりも高く、かつ、上記室内相対湿度検出手段により検出された室内相対湿度が所定湿度よりも高いとき、上記再生通路の上流側が室内になるように上記第１切換ダンパを切り換えると共に、上記再生通路の下流側が室外になるように上記第２切換ダンパを切り換えて、上記除湿ファンと上記再生ファンを運転して上記ヒータをオンし、上記室内絶対湿度検出手段により検出された上記室内の絶対湿度が上記室外絶対湿度検出手段により検出された上記室外の絶対湿度よりも高く、かつ、上記室内相対湿度検出手段により検出された室内相対湿度が上記所定湿度よりも低いとき、上記再生通路の上流側が室外になるように上記第１切換ダンパを切り換えると共に、上記再生通路の下流側が室内になるように上記第２切換ダンパを切り換えて、上記除湿ファンおよび上記ヒータを停止し、上記再生ファンを運転することを特徴とする。
【００１８】
上記実施形態の除湿装置によれば、室内の絶対湿度が室外の絶対湿度よりも低いとき、上記制御部により、再生通路の上流側が室外になるように第１切換ダンパを切り換え、再生通路の下流側が室外になるように第２切換ダンパを切り換えて、除湿ファンと再生ファンを運転してヒータをオンする。そうすることにより、室内の空気を除湿しつつ、デシカントロータの再生を室外から導入された外気を用いて行い、再生によりデシカントロータから放出された水分を室外に排気する。
【００１９】
また、室内の絶対湿度が室外の絶対湿度よりも高く、かつ、室内相対湿度が所定湿度よりも高いとき、上記制御部により、再生通路の上流側が室内になるように第１切換ダンパを切り換え、再生通路の下流側が室外になるように第２切換ダンパを切り換えて、除湿ファンと再生ファンを運転してヒータをオンする。そうすることにより、室内の空気を除湿しつつ、デシカントロータの再生を湿度の高い室内空気を用いて行い、再生によりデシカントロータから放出された水分を室外に排気する。
【００２０】
また、室内の絶対湿度が室外の絶対湿度よりも高く、かつ、室内相対湿度が所定湿度よりも低いとき、上記制御部により、再生通路の上流側が室外になるように第１切換ダンパを切り換え、再生通路の下流側が室内になるように第２切換ダンパを切り換えて、除湿ファンおよびヒータを停止し、再生ファンを運転する。そうすることにより、除湿運転を行わないで、室外の湿度の低い空気を室内に給気して、除湿も兼ねた効果的な換気が行える。
【発明の効果】
【００２１】
以上より明らかなように、この発明の除湿装置によれば、排気による外気導入の悪影響がなく、除湿効率を向上できる。
【００２２】
また、一実施形態の除湿装置によれば、室内の絶対湿度が室外の絶対湿度よりも高いか低いかに応じて、除湿ファンと再生ファンと第１切換ダンパまたは第２切換ダンパの少なくとも１つを制御部により制御して、デシカントロータの再生に利用する空気の流れを変更することによって、室内と室外の絶対湿度に応じて最適な除湿運転を効率よく行うことが可能となる。
【００２３】
また、一実施形態の除湿装置によれば、室内の絶対湿度が室外の絶対湿度よりも低いときに、室内の空気を除湿しつつ、デシカントロータの再生を室外から導入された外気を用いて行い、再生によりデシカントロータから放出された水分を含む空気を室外に排気するので、排気による外気導入の悪影響がまったくない。また、室内の絶対湿度が室外の絶対湿度よりも所定湿度以上高いときに、室内の空気を除湿しつつ、デシカントロータの再生を湿度の高い室内空気を用いて行い、再生によりデシカントロータから放出された水分を含む空気を室外に排気するので、湿度の低い外気が部屋の隙間などから流入しても室内相対湿度が高くならない。
【００２４】
また、一実施形態の除湿装置によれば、室内の絶対湿度が室外の絶対湿度よりも低いときに、室内の空気を除湿しつつ、デシカントロータの再生を室外から導入された外気を用いて行い、再生によりデシカントロータから放出された水分を含む空気を室外に排気するので、排気による外気導入の悪影響がまったくない。また、室内の絶対湿度が室外の絶対湿度よりも高いときに、除湿運転を行わないで、室外の湿度の低い空気を室内に給気するので、新鮮な空気で室内が換気されると共に、除湿運転を行うことなく、室内相対湿度を下げることができる。
【００２５】
また、一実施形態の除湿装置によれば、室内の絶対湿度が室外の絶対湿度よりも低いときに、室内の空気を除湿しつつ、デシカントロータの再生を室外から導入された外気を用いて行い、再生によりデシカントロータから放出された水分を室外に排気するので、排気による外気導入の悪影響がまったくない。また、室内の絶対湿度が室外の絶対湿度よりも所定湿度以上高いときに、室内の空気を除湿しつつ、デシカントロータの再生を湿度の高い室内空気を用いて行い、再生によりデシカントロータから放出された水分を含む空気を室外に排気するので、湿度の低い外気が部屋の隙間などから流入しても室内相対湿度が高くならない。また、室内の絶対湿度が室外の絶対湿度よりも高いときに、除湿運転を行わないで、室外の湿度の低い空気を室内に給気するので、新鮮な空気で室内が換気されると共に、除湿運転を行うことなく、室内相対湿度を下げることができる。
【発明を実施するための最良の形態】
【００２６】
以下、この発明の除湿装置を図示の実施の形態により詳細に説明する。
【００２７】
図１はこの発明の実施の一形態の除湿装置の要部の概略を示す模式図を示している。上記除湿装置は、図１に示すように、室内の壁面に取り付けられたケーシング２０内に、回転軸が略水平に配置された円板形状のデシカントロータ１と、除湿ファン２と、再生ファン３と、ヒータ４と、第１切換ダンパ５と、第２切換ダンパ６とを備えている。また、上記除湿装置は、室内からの空気をデシカントロータ１の吸湿領域１aを介して室内に戻すための除湿通路１１と、デシカントロータ１の熱回収領域１cと再生領域１bに空気を通過させるための再生通路１２を備えている。
【００２８】
上記再生通路１２の上流側に配置された第１切換ダンパ５により、再生通路１２の上流側を室外にするかまたは室内にするかを切り換える。また、上記再生通路１２の下流側に配置された第２切換ダンパ６により、再生通路１２の下流側を室外にするかまたは室内にするかを切り換える。この図１では、第１切換ダンパ５により再生通路１２の上流側を室外に切り換え、第２切換ダンパ６により再生通路１２の下流側を室内に切り換えた運転モードＡの状態を示している。この運転モードＡの状態では、再生通路１２の上流側は、壁３０に配置されたダクト３１の吸気口３１aを介して室外と連通し、再生通路１２の下流側は、ダクト３１の排気口３１bを介して室外と連通している。
【００２９】
また、上記除湿装置は、除湿通路１１のデシカントロータ１よりも上流側に設けられた室内温度センサ１３と室内相対湿度検出手段の一例としての室内相対湿度センサ１４と、ダクト３１の吸気口３１aの内側に設けられた室外温度センサ１５,室外相対湿度センサ１６とを備えると共に、室内温度センサ１３,室内相対湿度センサ１４,室外温度センサ１５,室外相対湿度センサ１６からの信号に基づいて、除湿ファン２,再生ファン３,ヒータ４,第１切換ダンパ５および第２切換ダンパ６などを制御する制御部１０を備えている。
【００３０】
上記制御部１０は、マイクロコンピュータと入出力回路などからなり、室内温度センサ１３と室内相対湿度センサ１４からの信号に基づいて室内の絶対湿度を検出する室内絶対湿度算出手段１０aと、室外温度センサ１５と室外相対湿度センサ１６からの信号に基づいて室外の絶対湿度を検出する室外絶対湿度算出手段１０bを有している。上記室内温度センサ１３と室内相対湿度センサ１４および室内絶対湿度算出手段１０aで室内絶対湿度検出手段を構成している。上記室外温度センサ１５と室外相対湿度センサ１６および室外絶対湿度算出手段１０bで室外絶対湿度検出手段を構成している。
【００３１】
上記デシカントロータ１の本体は、ゼオライト等の吸着材からなり、空気が容易に通過可能な構造をしている。また、上記デシカントロータ１は、円板形状の中心を軸に矢印Ｒの方向にゆっくり回転する。上記デシカントロータ１は、除湿通路１１に面する吸湿領域１aおよび再生通路１２に面する再生領域１b,熱回収領域１cが回転方向に沿って順に配列されている。
【００３２】
上記構成の除湿装置において、運転モードＡでは、室内の絶対湿度が室外の絶対湿度よりも低いときに、室外空気をデシカントロータ１の再生に利用して、再生により生じた水分を含む空気を室外に排気する除湿運転を行う。この運転モードＡでは、制御部１０は、第１切換ダンパ５および第２切換ダンパ６を上述の状態に切り換えた後、除湿ファン２,再生ファン３を運転し、ヒータ４をオンすると共に、デシカントロータ１を矢印Ｒの方向にゆっくりと回転させる。そうして、除湿通路１１(図１に示す)を流れる空気は、除湿通路１１に面するデシカントロータ１の吸湿領域１aを通過して、その吸湿領域１aに空気の水分が吸収され、除湿ファン２を介して室内に戻る。そして、空気の水分が吸収された領域は、デシカントロータ１の回転に伴って、徐々に再生領域１b側に移動する。
【００３３】
一方、再生通路１２を流れる空気は、再生通路１２に面するデシカントロータ１の熱回収領域１cを通過した後、ヒータ４で加熱される。そして、上記ヒータ４で加熱された空気は、デシカントロータ１の再生領域１bを通過し、その再生領域１bから水分が放出される。上記ヒータ４で加熱される前に、ヒータ４で加熱されたデシカントロータ１の部分に再生通路１２を介して空気を通過させることによって、デシカントロータ１から採熱して、熱回収を行ってヒータ熱を効率よく利用する。
【００３４】
図２は上記除湿装置の運転モードＢ(除湿運転と排気運転)のときの要部の概略を示しており、図１と同一の参照番号を付している。この運転モードＢは、室内の絶対湿度が室外の絶対湿度よりも高く、かつ、室内相対湿度が所定湿度よりも高いときに行われる。
【００３５】
図２では、第１切換ダンパ５により再生通路１２の上流側を室内に切り換え、第２切換ダンパ６により再生通路１２の下流側を室外に切り換えて、除湿運転と排気運転を行うときの状態を示している。この除湿運転と排気運転を行う運転モードＢの状態では、再生通路１２の上流側は室内に連通し、再生通路１２の下流側は、ダクト３１の排気口３１bを介して室外に連通している。
【００３６】
この運転モードＢでは、制御部１０は、第１切換ダンパ５および第２切換ダンパ６を上述の状態に切り換えた後、除湿ファン２,再生ファン３を運転し、ヒータ４をオンすると共に、デシカントロータ１を矢印Ｒの方向にゆっくりと回転させる。それにより、再生ファン３により室内空気が再生通路１２の上流側から吸い込まれて、デシカントロータ１の熱回収領域１cを通り、ヒータ４により加熱された後に再生領域１bを通過して水分が放出された後、室外に排出される。なお、除湿通路１１側は、図１に示す運転モードＡと同様の除湿動作を行う。
【００３７】
また、図３は上記除湿装置の運転モードＣ(給気運転)のときの要部の概略を示しており、図１と同一の参照番号を付している。この運転モードＣは、室内の絶対湿度が室外の絶対湿度よりも高く、かつ、室内相対湿度が所定湿度よりも低いときに行われる。
【００３８】
図３では、第１切換ダンパ５により再生通路１２の上流側を室外に切り換え、第２切換ダンパ６により再生通路１２の下流側を室内に切り換えて、給気運転を行うときの状態を示している。この給気運転を行う運転モードＣの状態では、再生通路１２の上流側は、ダクト３１の吸気口３１aを介して室外に連通し、再生通路１２の下流側は室内に連通している。
【００３９】
この運転モードＣでは、制御部１０は、第１切換ダンパ５および第２切換ダンパ６を上述の状態に切り換えた後、再生ファン３を運転し、除湿ファン２を停止し、ヒータ４をオフにして、デシカントロータ１を停止する。それにより、再生ファン３により湿度の低い室外空気が再生通路１２の上流側から吸い込まれて、デシカントロータ１の熱回収領域１cを通り、再生領域１bを通過した後、室内に給気される。なお、除湿通路１１側は、運転モードＡ,Ｂと異なり除湿動作を停止している。
【００４０】
次に、上記除湿装置の制御部１０の動作の一例を図４を用いて説明する。
【００４１】
図４において、運転が開始されると、まず、絶対湿度判定が行われ、室内絶対湿度が室外絶対湿度よりも高いとき、運転モードＢとして除湿運転と排気運転をすると、室内相対湿度が徐々に下がる。その後、室内相対湿度が(設定湿度＋α1)以下になると、運転モードＣとして給気運転を行う。次に、運転モードＣで室内相対湿度が徐々に上昇して、室内相対湿度が(設定湿度＋α2)以上になると、再び運転モードＢとして除湿運転と排気運転を行う。それにより、室内相対湿度が下がり、室内相対湿度が(設定湿度＋α1)以下になると、運転モードＣとして給気運転を行う。この後、運転モードＣで所定時間(タイマＴ3)経過しても室内相対湿度に変化がない場合は、再び運転モードＢとして除湿運転と排気運転を行う。そうした後、絶対湿度判定時間(Ｔ1)を経過したとき、絶対湿度判定が行われ、室内絶対湿度が室外絶対湿度よりも低いときは、運転モードＡとして除湿運転と外気導入による再生運転を行う。このように、絶対湿度判定時間(Ｔ1)毎に、絶対湿度判定を行って運転モードＡまたは運転モードＢ,Ｃとし、運転モードＢＣとなった場合は、次の絶対湿度判定まで室内相対湿度に応じて運転モードＢまたはＣに切り換える。
【００４２】
図５,図６は上記制御部１０の動作を説明するためのフローチャートを示しており、以下、図５,図６にしたがって制御部１０の処理を説明する。
【００４３】
まず、処理がスタートすると、ステップＳ１で絶対湿度判定タイマＴ1をスタートする。
【００４４】
次に、ステップＳ２に進み、運転時間タイマＴ2をスタートする。
【００４５】
次に、ステップＳ３に進み、室内絶対湿度が室外絶対湿度よりも高いか否かを判定する。なお、上記室内絶対湿度は、室内温度センサ１３と室内相対湿度センサ１４からの信号に基づいて室内絶対湿度算出手段１０aにより算出すると共に、室外絶対湿度は、室外温度センサ１５と室外相対湿度センサ１６からの信号に基づいて室外絶対湿度算出手段１０bにより算出する。すなわち、上記室内絶対湿度算出手段１０aと室外絶対湿度算出手段１０bは、湿り空気線図などを用いることにより温度と相対湿度の関係から絶対湿度を一義的に決定する。
【００４６】
そして、ステップＳ３で室内絶対湿度が室外絶対湿度よりも高いと判定すると、ステップＳ４に進み、運転時間タイマＴ2が一定時間経過したか否かを判定する。上記ステップＳ４で運転時間タイマＴ2が一定時間経過したと判定すると、ステップＳ５に進む一方、運転時間タイマＴ2が一定時間経過していないと判定すると、ステップＳ５をスキップする。
【００４７】
そして、ステップＳ５では、室内相対湿度が(設定湿度＋α)以上か否かを判定する。このときのαは、室内相対湿度の下降時はα1とし、上昇時はα2(＞α1)として、ヒステリシス特性を持たせている。そして、ステップＳ５で室内相対湿度が(設定湿度＋α)以上であると判定すると、ステップＳ６に進む一方、室内相対湿度が(設定湿度＋α)未満であると判定すると、図６のステップＳ１１に進む。
【００４８】
次に、ステップＳ６で運転モードＢ(除湿運転と排気運転)として、ステップＳ７に進む。
【００４９】
そして、ステップＳ７で絶対湿度判定タイマＴ1の計時が終了したか否かを判定して、絶対湿度判定タイマＴ1の計時が終了したと判定すると、ステップＳ３に戻る一方、絶対湿度判定タイマＴ1の計時が終了していないと判定すると、ステップＳ４に戻る。
【００５０】
また、ステップＳ３で室内絶対湿度が室外絶対湿度よりも低いかまたは等しいと判定すると、ステップＳ８に進み、運転モードＡ(除湿運転と外気導入による再生運転)として、ステップＳ９に進む。
【００５１】
そして、ステップＳ９で絶対湿度判定タイマＴ1の計時が終了したか否かを判定して、絶対湿度判定タイマＴ1の計時が終了したと判定すると、ステップＳ３に戻る一方、絶対湿度判定タイマＴ1の計時が終了していないと判定すると、ステップＳ８に戻り、運転モードＡを続ける。
【００５２】
また、図６のステップＳ１１では、運転モードＣ(給気運転)として、ステップＳ１２に進み、タイマＴ3をスタートする。
【００５３】
次に、ステップＳ１３に進み、タイマＴ3の計時が終了したか否かを判定して、タイマＴ3の計時が終了したと判定すると、ステップＳ１４に進む。
【００５４】
そして、ステップＳ１４で設定湿度が室内相対湿度以上か否かを判定して、設定湿度が室内相対湿度以上であると判定すると、ステップＳ１６に進む一方、設定湿度が室内相対湿度未満であると判定すると、ステップＳ１５に進み、運転モードＢとしてステップＳ１６に進む。
【００５５】
次に、ステップＳ１６で絶対湿度判定タイマＴ1の計時が終了したか否かを判定して、絶対湿度判定タイマＴ1の計時が終了したと判定すると、図５のステップＳ３に戻る。一方、ステップＳ１６で絶対湿度判定タイマＴ1の計時が終了していないと判定すると、図５のステップＳ４に戻る。
【００５６】
また、ステップＳ１３でタイマＴ3の計時が終了していないと判定すると、ステップＳ７に進み、絶対湿度判定タイマＴ1の計時が終了したか否かを判定して、絶対湿度判定タイマＴ1の計時が終了したと判定すると、図５のステップＳ３に戻る一方、絶対湿度判定タイマＴ1の計時が終了していない判定すると、ステップＳ１３に戻る。
【００５７】
上記実施の形態では、室内の絶対湿度と室外の絶対湿度および室内相対湿度により運転モードＡ,Ｂ,Ｃを切り換える除湿装置について説明したが、運転モードＡ,Ｂを切り換える除湿装置でもよいし、運転モードＡ,Ｃを切り換える除湿装置であってもよい。
【図面の簡単な説明】
【００５８】
【図１】図１はこの発明の実施の一形態の除湿装置の運転モードＡのときの要部の概略を示す模式図である。
【図２】図２は上記除湿装置の運転モードＢのときの要部の概略を示す模式図である。
【図３】図３は上記除湿装置の運転モードＣのときの要部の概略を示す模式図である。
【図４】図４は上記除湿装置の制御部の動作の一例を示す図である。
【図５】図５は上記制御部の動作を説明するためのフローチャートである。
【図６】図６は図５に続く上記制御部の動作を説明するためのフローチャートである。
【符号の説明】
【００５９】
１…１は円板形状のデシカントロータ
１ａ…吸湿領域
１ｂ…再生領域
１ｃ…熱回収領域
２…除湿ファン
３…再生ファン
４…ヒータ
５…第１切換ダンパ
６…第２切換ダンパ
１０…制御部
１０a…室内絶対湿度算出手段
１０b…室外絶対湿度算出手段
１１…除湿通路
１２…再生通路
１３…室内温度センサ
１４…室内相対温度センサ
１５…室外温度センサ
１６…室外相対温度センサ
２０…ケーシング
３０…壁
３１…ダクト
３１a…吸気口
３１b…排気口
【図１】
2005138021.tif 000003
【図２】
2005138021.tif 000004
【図３】
2005138021.tif 000005
【図４】
2005138021.tif 000006
【図５】
2005138021.tif 000007
【図６】
2005138021.tif 000008